Podtech/llm-jp-corpus-v4-ja_patent huggingface dataset:
(57)【要約】      （修正有）【課題】毛髪が薄くなったとか、剥げになって悩む人の毛根を少しでも回復させて頭髪を増やす方法を提供する。【解決手段】平面状のベース１に複数の突起２を、ベース１と一体に設け、それでもって頭皮を摩擦することなく、頭皮を静かに圧力を掛ける方法とする。【選択図】図１
2015089504.tif 000002
【特許請求の範囲】
１
【発明の詳細な説明】
【発明の詳細なる説明】
本発明は頭皮を摩擦で無く、部分的に圧力を掛けるに依り、毛根を刺激し、活性化させ、頭髪を増やす方法で、仕組みを説明しますと、図一、図二、図三、の１はベース、図一、図二、図三、の２は突起で、１と２は一体になっています。使用方法は、突起を頭髪の薄い部分、剥げた部分に当て静かに圧力をかけパット離す事を繰り返し使用する事に依り毛根を刺激し髪の毛が徐徐に復活するのです。
【産業上の分野】
頭髪が薄くなったり、剥げになった人の悩みを解消する事に役立つと思います。
【背景技術】薬物を頭皮に付けるか、医師に依り薬物を注入する方法が有ります。
【発明が解決しようとする課題】
いかにして簡単に毛根を復活する事が出来ないかが課題です。
【課題を解決しようとする手段】
頭皮に部分的に静かに押し当ててパット離す事に依り血流が良くなり毛根が復活するものと思います。
【実施例】朝晩一日二回位、突起の部分を頭皮に静かに圧力をかけパット離す事を繰り返し行い、二、三、ヶ月位続けると徐徐に髪の毛が伸びてくるのが解ります。
【発明の効果】
効果が現れるのは始めて二、三、ヶ月頃から兆候が見られ徐徐に毛が伸びてくるのが解り、黒い毛に成るのも確認出来ます。毛の太さは細いです。
【図面の簡単な説明】
【図１】平面図
【図２】側面図
【図３】側断面図
【図１】
2015089504.tif 000003
【図２】
2015089504.tif 000004
【図３】
2015089504.tif 000005
【手続補正書】
【提出日】平成25年12月17日(2013.12.17)
【手続補正１】
【補正対象書類名】特許請求の範囲
【補正対象項目名】全文
【補正方法】変更
【補正の内容】
【特許請求の範囲】
【請求項１】
突起により頭皮に圧力刺激を与え血流を良くする行為の器具。
(57)【要約】【課題】ステータの軸方向の外力に対する剛性を向上させる。【解決手段】ステータコア２１を構成する各積層鋼板３１のヨーク部３３を折り曲げることで、ステータ軸方向に盛り上がる補強用のリブ４３をステータ周方向に沿ってヨーク２３に設ける。これによって、ヨーク２３の断面２次モーメントを向上させることができ、ステータ軸方向外力に対して、ヨーク２３のステータ軸方向剛性を向上させてステータ軸方向たわみを低減することができる。【選択図】図２
2015089230.tif 000002
【特許請求の範囲】
【請求項１】
ステータ周方向に沿って延びるヨークと、
ヨークよりステータ径方向内側へ突出するティースと、
を備え、
ヨークには、ステータ軸方向に盛り上がる山部がステータ周方向に沿って設けられている、回転電機のステータ。
【発明の詳細な説明】
【技術分野】
【０００１】
本発明は、回転電機のステータに関し、特に、ステータ周方向に沿って延びるヨークを備えるステータに関する。
【背景技術】
【０００２】
下記特許文献１では、コア素材を環状に成形して積層することでステータコアを構成しており、コア素材はバックヨーク部の位置で素材表面から積層方向に突出した形状に折り曲げられた折曲部を有する。
【先行技術文献】
【特許文献】
【０００３】
【特許文献１】特開２０１２−２１７２７９号公報
【発明の概要】
【発明が解決しようとする課題】
【０００４】
ステータに軸方向の外力が作用する場合に、ステータの軸方向の剛性が低いと、ステータの軸方向のたわみ量が大きくなり、ステータの疲労破壊や振動・騒音悪化の懸念がある。そこで、ステータの軸方向の外力に対する剛性を向上させることが望ましい。なお、特許文献１では、ステータの製造方法の都合で折曲部を設けているだけであり、ステータの剛性確保等の観点は無い。
【０００５】
本発明は、ステータの軸方向の外力に対する剛性を向上させることを目的とする。
【課題を解決するための手段】
【０００６】
本発明に係る回転電機のステータは、上述した目的を達成するために以下の手段を採った。
【０００７】
本発明に係る回転電機のステータは、ステータ周方向に沿って延びるヨークと、ヨークよりステータ径方向内側へ突出するティースと、を備え、ヨークには、ステータ軸方向に盛り上がる山部がステータ周方向に沿って設けられていることを要旨とする。
【発明の効果】
【０００８】
本発明によれば、ヨークの断面２次モーメントを向上させることができ、ステータの軸方向の外力に対する剛性を向上させることができる。
【図面の簡単な説明】
【０００９】
【図１】本発明の実施形態に係るステータの中心軸に沿った方向から見た概略構成を示す図である。
【図２】図１のＡ−Ａ断面図である。
【発明を実施するための形態】
【００１０】
以下、本発明を実施するための形態（以下実施形態という）を図面に従って説明する。
【００１１】
図１，２は、本発明の実施形態に係る回転電機のステータの概略構成を示す図である。図１はステータの中心軸１０に沿った方向から見た図を示し、図２は図１のＡ−Ａ断面図を示す。以下の説明において、ステータ軸方向は、ステータの中心軸１０に沿った方向であり、ステータ周方向は、ステータの中心軸１０まわりに沿った方向であり、ステータ径方向は、ステータの中心軸１０（ステータ軸方向）と直交する方向である。
【００１２】
本実施形態に係るステータは、図示しないロータの外周側に配置され、ステータコア２１と、ステータコア２１に巻装されたコイル２２とを含んで構成される。ステータコア２１は、ステータ周方向に沿って延びる円環状のヨーク２３と、ヨーク２３の内周面よりステータ径方向内側（ロータ側）へ突出する複数のティース２４と、ヨーク２３の外周面２３ａよりステータ径方向外側へ突出し、締結用ボルト（締結用部材）１５を通すための複数の締結部（耳部）２５とを含む。複数のティース２４はステータ周方向に互いに間隔をおいて（等間隔で）配置され、各ティース２４にコイル２２が巻装されている。複数の締結部２５も、ステータ周方向に互いに間隔をおいて（等間隔で）配置されている。各締結部２５には、締結用ボルト１５を通すためのボルト挿通穴（ボルト挿通空間）４５がステータ軸方向に沿って形成されている。ステータコア２１については、積層鋼板３１をステータ軸方向に複数積層して構成することが可能である。図２では、説明の便宜上、３枚の積層鋼板３１を図示しているが、実際には、多数の積層鋼板３１が積層される。各締結部２５のボルト挿通穴４５に締結用ボルト１５をステータ軸方向に通してねじ締結を行うことで、複数の積層鋼板３１の締結を行うことができるとともに、ステータコア２１を図示しないケーシング（固定部材）に固定することができる。図１では、説明の便宜上、一部のボルト挿通穴４５に締結用ボルト１５が通されているが、実際には、すべてのボルト挿通穴４５に締結用ボルト１５が通される。
【００１３】
ステータには、例えば車両等からの振動によって、ステータ軸方向の外力Ｆが作用する。ステータ軸方向外力Ｆに対してステータ軸方向剛性が低いと、ステータ軸方向たわみ量が大きくなり、疲労破壊や振動・騒音悪化の懸念がある。特に大径多極の回転電機においては、ヨーク幅が小さいため、ステータ軸方向剛性が低下しやすくなる。
【００１４】
そこで、本実施形態では、ステータ軸方向剛性を向上させるために、ヨーク２３には、ステータ軸方向に盛り上がる山部として補強用のリブ４３がステータ周方向に沿って設けられている。リブ４３はステータ全周に渡って設けられている。図１，２の例では、ステータコア２１を構成する各積層鋼板３１のヨーク部３３を折り曲げることで、ステータ軸方向一方側に凸となるリブ４３を立てている。補強用のリブ４３をステータ周方向に沿ってヨーク２３に設けることで、ヨーク２３の断面２次モーメントを向上させることができ、ヨーク２３のステータ軸方向剛性を向上させることができる。したがって、ステータ軸方向外力Ｆに対して、ヨーク２３のステータ軸方向たわみを低減することができ、ステータの疲労破壊及び振動・騒音を抑制することができる。さらに、ヨーク２３にリブ４３を設けることで、ヨーク２３の必要磁路断面積を確保しつつ、ヨーク幅を低減してステータ内径を増加させることができ、トルク向上につながる。その際には、積層鋼板３１を折り曲げてリブ４３を形成可能なため、ステータのコスト増加を抑制することができる。
【００１５】
以上、本発明を実施するための形態について説明したが、本発明はこうした実施形態に何等限定されるものではなく、本発明の要旨を逸脱しない範囲内において、種々なる形態で実施し得ることは勿論である。
【符号の説明】
【００１６】
１５  締結用ボルト、２１  ステータコア、２２  コイル、２３  ヨーク、２３ａ  外周面、２４  ティース、２５  締結部、３１  積層鋼板、３３  ヨーク部、４３  リブ、４５  ボルト挿通穴。
【図１】
2015089230.tif 000003
【図２】
2015089230.tif 000004
(57)【要約】      （修正有）【課題】便座を衛生的に持ち上げる為の、便座持ち上げ具を提供する。【解決手段】便座４の蓋の先端裏側に、ツメ状のシール１を貼り、便座４を開ける時にシール１を持ち上げ、指が直接便座４に触れないようにした。【選択図】図４
2015089500.tif 000002
【特許請求の範囲】
【請求項１】
便座の蓋の先端裏側に、ツメ状のシールを貼り、便座の蓋を開ける時にそれを持って上げるので、指が便座に触れないので、清潔に開けられる男性用便座上げ具。
【発明の詳細な説明】
【技術分野】
【０００１】この発明は不衛生であるトイレの蓋を直接触れずに開けられる為の便座上げに関するものである。
【背景技術】
【０００２】従来は不衛生であるトイレの蓋を直に触れて上げていた。
【発明の概要】
【発明が解決しようとする課題】
【０００３】男性の小便時、洋式便所の蓋を開ける際に、汚れているかもしれない、便座の裏側を触れて持ち上げていた。
【課題を解決するための手段】
【０００４】便座の蓋の先端裏側に、ツメ状のシールを貼り、便座の蓋を開ける時にそれを持って上げるので、指が便座に触れないので、清潔に開けられる男性用便座上げ具。
【発明の効果】
【０００５】強力な両面テープを使用しているため、勢いよく開けても剥がれず開けられる。中央部分に貼っている為、座っても邪魔にならない。トイレの蓋を直接触れないで開けられるので衛生的である。
【図面の簡単な説明】
【０００６】
【図１】本発明の平面図（ａ），背面図（ｂ）
【図２】本発明を便座に貼った状態図
【図３】本発明の取付け状態を示す斜視図
【図４】本発明の便座を開けて取付けた状態を示す斜視図
【発明を実施するための形態】
【０００７】  以下本発明の実施の形態を説明する。
（イ）ツメ状のシール（１）の裏面の所に両面テープ（２）を貼る。
図１ではシール（１）の半分に両面テープ（２）を貼っている。
本発明は以上のような構造である。
本発明を使用するときは、便座裏側（４）の先端部分に、ツメ状のシール（１）の両面テープ（２）の部分をひし形になるように貼る。便座（３）を上げる時は、ツメ状のシール（１）を持って上げるので指が汚れない。
【符号の説明】
【０００８】  １  ツメ状のシール、２  両面テープ、３  便座、４  便座裏側、５  便器
【図１】
2015089500.tif 000003
【図２】
2015089500.tif 000004
【図３】
2015089500.tif 000005
【図４】
2015089500.tif 000006
(57)【要約】      （修正有）【課題】熱輻射体天然鉱物紛体を爪マニュキア液に溶解混合し、爪に塗布することで爪に集まる神経末端がある部位（俗にはツボと称される）に作用させて健康の増進改善を図るための塗布剤（マニュキア液）を提供する。【解決手段】塗布剤（マニュキア液）６に強力エネルギー発信の為の能動素子７と８を溶解混合させることで、それぞれが発する、遠赤外線及び固有振動の血液との共振を利用し指先に集まる毛細血管、神経末端がある部位（俗にはツボと称される）に作用させ健康の増進改善を図ることを特徴とする。【選択図】図１
2015089499.tif 000002
【特許請求の範囲】
【請求項１】
人体の爪部の保護と、血流を促すための希土類（１〜３％を含む）素材及び遠赤外線発生鉱石紛体の持つ能動素子を、溶剤（例えばマニュキア）の液体に、溶解混入させ爪の補強をするとともに、能動素子の持つ遠赤外線を利用することを特徴とする健康塗布剤。
【請求項２】
希土類（１〜３％を含む）素材及び遠赤外線発生鉱石よりはっせいしている固有振動数が、塗布剤（マニュキア）より発せられ、爪を介して皮膚から血液へと伝達され、血液成分の持っている固有振動数と共振することで、その血液分子がエネルギー補強され、体質改善に寄与する機能を利用することを特徴とする健康塗布剤。
【請求項３】
希土類（１〜３％を含む）素材及び遠赤外線発生鉱石は、電磁波（常温で１〜３０ミクロン）を発生する鉱石であり、爪部にあるツボに作用することで、体質の改善に寄与するきのうを利用することを特徴とする健康塗布剤。
【請求項４】
請求項１、請求項２、請求項３を用いた健康塗布剤。
【発明の詳細な説明】
【発明の詳細な説明】
【産業上の利用分野】
【０００１】  本発明は、身体の端部にある爪又は表皮に対し、全身の神経の末端がある部位（俗にツボと称される）が集中していることに着眼し、従来のマニュキアをベースに健康向上に良いとされる希土類と遠赤外線発生鉱石の紛体を、０．１〜０．２％合体したことにある。鉱物の持つ、遠赤外線が発する電磁波、種々の固有振動数、温熱作用が、爪周辺にあるツボに作用することで血流に作用し、身体の持つ自然エネルギーを増強させ健康の維持改善が図れる。
【背景技術】
【０００２】  熱輻射体天然鉱物を利用した、健康向上を謳った製品は、焼結成型（セラミック）にしたり、繊維に練り込んだり、、、等々、多々市場に出回っている。が、本発明の爪を介して、本鉱物の作用として、遠赤外線照射、固有振動数での共鳴現象、ツボ刺激を利用する方法は、見受けられない。
【発明が解決しようとする課題】
【０００３】  マニュキアは、化粧品であるが、健康上では、爪にとって異物であり、体質の改善にとっては、決して良いものではない。本発明は希土類や遠赤外線発生鉱石が、有効に働き、健康上の異物感を排除し健康上有益な働きとなる。マニュキアに鉱石の粉末を溶解混入することを利用し、健康マニュキアを提供する。
【課題を解決するための手段】
【０００４】    請求項１の場合には、マニュキア液に溶解混入した希土類（１〜３％を含む）素材及び遠赤外線発生鉱石粉末が、マニュキア液の強度を増し、塗り込んだ爪表面が遠赤外線の放射エネルギーに依り温まり、血流を促すことを特徴とした方式である。
請求項２の場合には、希土類と遠赤外線発生鉱石の発生している固有振動数が、血液中に含まれる分子とが共鳴振動をし、エネルギーが高まることで体内に運ばれた時、好作用をもたらすことを特徴とした方式である。
請求項３の場合には、天然鉱物粉の溶解混入したマニュキアが爪部に集中しているツボに作用し、体質の改善に寄与することを特徴とした方式である。
請求項４の場合には、マニュキア液に、請求項１、請求項２、請求項３を用いたことを特徴とした方式である。
【作用】
【０００５】  希土類鉱物紛体７及び遠赤外線発生鉱物紛体８が溶解混入したマニュキア液６は、爪１の表面にて接着され固形化する。
マニュキアに溶解混入した希土類鉱物粉体７及び遠赤外線発生鉱物紛体８からは、それぞれの持つ固有振動波と遠赤外線とが発せられ、爪１から爪基５へと強力なエネルギーが伝わり毛細血管に作用し体内へとエネルギー伝達を行う。結果として健康増進へとつながる。
【実施例】
【０００６】  健康に対してどう作用があるのか、本発明の健康マニュキアを老若男女３０人を無作為に選び爪に塗り反応を確認した。
塗布後２４時間経過後の変化
１．  熟睡できた。
２．  冷え性が改善された。
３．  肩こりが楽になった。
４．  体が軽くなった。（爽快感）
５．  血液がサラサラになった。（位相差顕微鏡で赤血球を確認）
【発明の効果】
【０００７】  希土類鉱物紛体及び遠赤外線発生鉱物紛体から発せられる遠赤外線、電磁波、及び鉱物の持つ固有振動エネルギーを、全身の神経末端がある部位（俗にはツボと称される）が存在している指先の爪に作用させることで、健康の増進改善を提供することが可能になった。
【図面の簡単な説明】
【０００８】
【図１】  本発明の全体の見取り図
【符号の説明】  １は  爪
２は  指先
３は  指骨
４は  爪母基
５は  爪床
６は  塗布剤（マニュキア）
７は  希土類鉱物紛体
８は  遠赤外線発生鉱物紛体
９は  塗布剤（マニュキア）部より発生している振動波
【図１】
2015089499.tif 000003
(57)【要約】      （修正有）【課題】自動車等のエンジンには、元来エネルギーを回収する機能が備わっておらず、制動時に回収されるべき運動エネルギーは、制動系にて専ら熱エネルギーとして捨てられているが、これを回収可能な装置の提供。【解決手段】排気系統中にこれを閉塞する排気弁２を設け、それにより得られる高圧の排気をボンベ６に回収、貯留する。また該ボンベ内に貯留された高圧空気を管路にて吸気系統に導き、直接駆動用バルブ１３を介して高圧強制吸気を行うことによりエンジンを高圧空気にて駆動する。本考案は以上のような構成よりなり、エンジン自体に回生制動の機能を具備し、動力系を別途併設する必要から解放された、コンパクトな自己完結型のハイブリッドエンジンである。【選択図】図１
2015098810.tif 000002
【特許請求の範囲】
【請求項１】
エンジンの排気系統中にこれを閉塞するバルブと高圧の排気を回収、貯留する管路とボンベを設け、また該ボンベ内に貯留された高圧空気を吸気系統に導く管路と高圧強制吸気を制御するバルブを設けたことを特徴とするハイブリッドエンジン。
【発明の詳細な説明】
【技術分野】
【０００１】
この発明は、自動車等のエンジンにおいて、制動時のエネルギーを回収し、駆動力として再生する、回生制動を実現するものである。
【背景技術】
【０００２】
従来の自動車等のエンジンは、元来エネルギーを回収する機能を備えておらず、別途設けられた制動系は、制動時に運動エネルギーを回収することなく、専ら熱エネルギーとして捨てている。
【先行技術文献】
【特許文献】
【０００３】
【特許文献１】特開２０１０−２４７７９７号公報
【非特許文献】
【０００４】
【非特許文献１】檜垣和夫著  エンジンのＡＢＣ  講談社  ２００９年
【発明の概要】
【発明が解決しようとする課題】
【０００５】
しかしながら、以上の技術によれば、制動時に運動エネルギーは回収されず、制動系にて専ら熱エネルギーとして捨てられており、回生制動を行うためには電動発電機と蓄電装置を別途併設するなどの手段が必要であった。
そこで、この発明は、エンジン自体で回生制動を行う手段を提供することを課題とする。
【課題を解決するための手段】
【０００６】
以上の課題を解決するために、本発明は、排気系統中にこれを閉塞するバルブと高圧の排気を回収、貯留する管路とボンベを設け、また該ボンベ内に貯留された高圧空気を吸気系統に導く管路と高圧強制吸気を制御するバルブを設けたことを特徴とするハイブリッドエンジンである。
【発明の効果】
【０００７】
本発明によれば、制動の際には排気系をバルブにて閉塞してエンジンをコンプレッサーとして働かせ、運動エネルギーを高圧空気として回収でき、また、始動を含む駆動の際には強制吸気バルブを制御してエンジンをエアモーターとして働かせることができる。
かくしてエンジン自体に回生制動の機能を付与し、電動発電機等の動力系を別途併設することなく燃料消費の大幅な削減をもたらすことができる。
【図面の簡単な説明】
【０００８】
【図１】この発明の一実施形態を示す管路構成図である。
【図２】従来技術を示す管路図である。
【発明を実施するための形態】
【０００９】
この発明の一実施形態を、図１に示す。
エンジン本体１は4サイクルガソリンエンジンであり、排気弁２の閉塞により逆止弁３を経て導かれた高圧の排気をボンベ６に回収、貯留する管路の間に、外部から高圧空気を導く為の管路と逆止弁４が設けられており、コネクター７を介して外部コンプレッサー８に接続されている。ボンベ６は複数本で構成され、逆止弁５と背圧弁９とを介して直列に接続されている。
また吸気系統に設けられているスロットル弁１０は回生制動時には燃料供給の停止に併せて吸気抵抗を回避するために全開に、エアモーター走行時には強制吸気のために全閉に制御される他、高圧強制吸気を制御するバルブとして、エゼクター駆動用バルブ１２とエンジン本体の直接駆動用バルブ１３が設けられており、両者が選択的に制御される。
【００１０】
この実施形態によれば、以下の効果がある。
外部コンプレッサー８により高圧空気をボンベ６に供給してエアモーター走行の比率を高めて、燃料消費をさらに削減することができる。
ボンベ６を複数直列接続することにより、全体としての容量を高める一方で、複数ボンベの順次充填により、作動圧力の早期立ち上がりと高位安定をもたらすことができる。
また、貯留された高圧空気は直接駆動によるエアモーター走行に供される他、ガソリンエンジンとして走行する際にも、エゼクター１１を高圧空気で駆動し過給機として働かせることで、加速時等に吸気効率を上げ、エンジンの出力を高めることができる。
【００１１】
他の実施形態を以下に説明する。
図1の実施形態では、複数のボンベ６を用いて、回生制動の効果を高める構成であったが、他の実施形態では、容量の小さいボンベ単体によるコンパクトなシステムとして、既設のエンジンに増設したものでも良い。この場合も始動、加速をエアモーターに委ね、停車時のアイドリングもストップすることにより、燃料消費を削減することができる。
【００１２】
また、このシステムを、電動発電機と蓄電装置を別途併設するところの従来のハイブリッドシステムに搭載すれば、急速充電に能力的限界を有する蓄電装置を補完し、より有効な回生制動を実現できる。
【００１３】
また、図1の実施形態では、高圧の排気を直接ボンベ６に導く構成であったが、他の実施形態では、高圧排気で斜板ピストンモーターを駆動し、それに連動する斜板コンプレッサーで高圧空気を供給してボンベ６に導くものでも良い。
この場合、斜板の傾斜角の調整により、低負荷から高負荷まで広範囲の制動力に対応して効率良く清浄な高圧空気が得られ、通常のエンジン走行時にも過給機として用いることができる。
【００１４】
また、図1の実施形態では、エンジン本体１は4サイクルガソリンエンジンであったが、他の実施形態では、２サイクルエンジンやディーゼルエンジンなどの内燃機関でも、蒸気機関などの外燃機関でも良い。
【符号の説明】
【００１５】
１  エンジン本体
２  排気弁
３  逆止弁
４  逆止弁
５  逆止弁
６  ボンベ
７  コネクター
８  外部コンプレッサー
９  背圧弁
１０  スロットル弁
１１  エゼクター
１２  エゼクター駆動用バルブ
１３  直接駆動用バルブ
【図１】
2015098810.tif 000003
【図２】
2015098810.tif 000004
(57)【要約】      （修正有）【課題】現状案よりも安全で確実な放射性廃棄物や産業廃棄物の最終処分方法を提供する。【解決手段】大陸プレ−トの下に沈み込む海洋プレ−トあるいは陸地プレ−トに、適度な大きさの穴あるいは溝を掘り、この穴あるいは溝の中に廃棄物を容器に収納して埋設して処分する。【選択図】図１
2015098013.tif 000002
【特許請求の範囲】
【請求項１】
大陸プレ−トの下に沈み込む海洋プレ−トあるいは陸地プレ−トに、適度な大きさの穴あるいは溝を掘り、この穴あるいは溝の中に廃棄物を容器に収納して埋設して処分することを特徴とする廃棄物の最終処分方法。
【請求項２】
前記廃棄物は放射性廃棄物であることを特徴とする請求項１記載の廃棄物の最終処分方法。
【請求項３】
前記廃棄物は産業廃棄物であることを特徴とする請求項１記載の廃棄物の最終処分方法。
【発明の詳細な説明】
【技術分野】
【０００１】  本発明は、放射性廃棄物や産業廃棄物の最終処分方法に関するものである。
【背景技術】
【０００２】  現在、世界中で使用済み核燃料の処分方法が問題となっている。【０００３】  我国においては、低レベル放射性廃棄物は、地下１０メ−トル程度への埋設処分が実施されているが、高レベル放射性廃棄物は最終的に、地下３００メ−トル以上の深層に埋設処分する方針であるが、長期保存への不安があって最終処分地は決まらず、大量の使用済み核燃料が各地の原子力発電所に保管されおり現在飽和状態になっている。【０００４】  ＰＣＢやアスベスト、水銀等の処分方法も解決しなくてはならない課題である。
【先行技術文献】
【特許文献】
【０００５】
【特許文献１】  特願２０１２−１２２４５０（廃棄物の処分方法）
【発明の概要】
【発明が解決しようとする課題】
【０００６】  本発明は、これらの課題を解決し、現状案よりも安全で確実な廃棄物の最終処分方法を提供する目的からなされたものである。
【課題を解決するための手段】
【０００７】  上記の課題を解決する本発明は、以下の通りである。
大陸プレ−トの下に沈み込む海洋プレ−トあるいは陸地プレ−トに、適度な大きさの穴あるいは溝を掘り、この穴あるいは溝の中に廃棄物を容器に収納して埋設して処分することを特徴とする廃棄物の最終処分方法を提供できたものである。
【発明の効果】
【０００８】  本発明は地球内部が持つ超高温溶解炉の機能と、この超高温溶解炉に廃棄物を運搬できる地表の移動するプレ−トを、廃棄物の運搬具として活用したものである。【０００９】  本発明の廃棄物の最終処分方法は、廃棄物を容器に収納して安全を確保し、人間の生活圏から遠い場所に埋設後は全て地球のエネルギ−で処理できるものである。【００１０】  本発明は東日本大震災、福島第一原子力発電所事故を契機に、使用済み核燃料の処分は国際的課題であり、地震発生のメカニズムと我国特有の海洋プレ−ト構成を冷静に見つめ直した結果、南北に長く連なりマントルに沈み込む広大な太平洋プレ−トとフィリピン海プレ−トに囲まれた我国は、これらのプレ−トを活用した使用済み核燃料の最終処分方法を世界に先駆けて構築でき貢献できる、また海底資源の活用と海底調査は我国にとって極めて重要であり、新たなビジネスチャンスも生まれる、本発明はその両面から極めて有益なものである。
【図面の簡単な説明】
【００１１】
【図１】  本発明の実施方法を示した断面説明図である。（実施例１）
【図２】  本発明の実施例の廃棄物収納容器の断面図である。
【発明を実施するための形態】
【００１２】  廃棄物を容器に収納して安全を確保し、人間の生活圏から遠い場所に埋設後は全て地球のエネルギ−で処分できる廃棄物の最終処分方法を確立した。
【実施例１】
【００１３】  図１は、本発明の実施方法を示した断面説明図で、大陸プレ−ト（１）の下に沈み込む海洋プレ−トあるいは陸地プレ−ト（２）に、適度な大きさの穴あるいは溝（４）を掘り、この穴あるいは溝（４）の中に廃棄物（５）を容器に収納して埋設し、周囲をコンクリ−ト等の埋設物（６）で埋めた実施例である。【００１４】  図２は、本発明の実施例の廃棄物収納容器の断面図であり、使用済み核燃料８の周囲を厚い金属製の内部容器９に収納し、安全の為に更に外部容器１２を設け、崩壊熱を放出する放熱棒１０を設けたことを特徴とする球状あるいは円筒状の廃棄物収納容器である。【００１５】  本発明においては、アウタ−ライズ地震等によって断層が発生し、最悪廃棄物収納容器が外部に放出された場合でも廃棄物が直接外部に放出されることは無く、再埋設するとが可能である。【００１６】  実施における埋設は、埋設物６等を用いて穴あるいは溝４を埋め立てるともできるし、埋め立てをせずに容器に収納した廃棄物５を穴あるいは溝４に収納することもできる。
【産業上の利用可能性】
【００１７】  使用済み核燃料を初めとする放射性廃棄物やＰＣＢ、水銀、アスベスト等の有害な産業廃棄物の最終処分方法に適応できる。
【符号の説明】
【００１８】  １  大陸プレ−ト
２  海洋プレ−トあるいは陸地プレ−ト
３  マントル
４  穴あるいは溝
５  廃棄物
６  埋設物
７  プレ−トの移動方向
８  使用済み核燃料
９  内部容器
１０  放熱棒
１１  充填物質
１２  外部容器
【図１】
2015098013.tif 000003
【図２】
2015098013.tif 000004
(57)【要約】      （修正有）【課題】箸を入れる器を美観性の伴う形状にして、箸を衛生的に保管ができて、且つ箸の出し入れが容易な箸入れを提供する。【解決手段】箸１を入れる器の形状を花瓶型にして、その花瓶には造花９で装飾する。花瓶の内部には箸を入れる部分を設けて、蓋ができるようにして衛生的に箸１を保管する。箸の出し入れ時には、簡単な扱いで周辺の造花が支障しないように移動して、同時に箸を入れる部分の蓋が開閉することで、箸１を取り出しやすくする。【選択図】図２
2015097694.tif 000002
【特許請求の範囲】
【請求項１】
造花で装飾した花瓶型の箸入れであって、花瓶の外筒と、外筒内に設けた内筒と、外筒と内筒の間に設けた固定筒とからなり、内筒の内部には箸を入れるための箸入れ筒を備えるとともに、固定筒の上部から底方向に傾斜して設けられた誘導溝と、この誘導溝を介してその一端を外筒に固定され、他端を内筒に固定された連結棒とから構成され、外筒を手動回転させることで、連結棒で連結された内筒も回転し、連結棒が誘導溝の傾斜に導かれて内筒が回転しながら上昇することで、内筒内の箸入れ筒が上昇するように構成したことを特徴とする花瓶型箸入れ。
【請求項２】
固定筒にその下端を回転自在に軸支されるとともに、内筒の上昇により内筒上端に押し上げられて開放されるとともに、内筒の収納時には自重により閉じる一対の蓋が設けられていることを特徴とする請求項１に記載の花瓶型箸入れ。
【発明の詳細な説明】
【技術分野】
【０００１】
本発明は、造花で装飾した花瓶型の箸入れに関するものである。
【背景技術】
【０００２】
箸を入れる器は、一般的に箱形か筒形で、利便性を重視した構造や構成になっているが、美観性には乏しい欠点があった。
【先行技術文献】
【特許文献】
【０００３】
【特許文献１】登録実用新案  第３１４５４３１号
【特許文献２】登録実用新案  第３１５０５９０号
【発明の概要】
【発明が解決しようとする課題】
【０００４】
本発明は、箸を入れる器が美観性を伴う形状にする。
【０００５】
箸入れとしての利便性を確保しながら、衛生的に保管でき且つ、取り扱いが容易な構造にする。
【課題を解決するための手段】
【０００６】
上記の目的を達成するために、請求項１の発明では、造花で装飾した花瓶型の箸入れであって、花瓶の外筒と、外筒内に設けた内筒と、外筒と内筒の間に設けた固定筒とからなり、内筒の内部には箸を入れるための箸入れ筒を備えるとともに、固定筒の上部から底方向に傾斜して設けられた誘導溝と、この誘導溝を介してその一端を外筒に固定され、他端を内筒に固定された連結棒とから構成され、外筒を手動回転させることで、連結棒で連結された内筒も回転し、連結棒が誘導溝の傾斜に導かれて内筒が回転しながら上昇することで、内筒内の箸入れ筒が上昇するように構成したことを特徴とする。
請求項２の発明では、固定筒にその下端を回転自在に軸支されるとともに、内筒の上昇により内筒上端に押し上げられて開放されるとともに、内筒の収納時には自重により閉じる一対の蓋が設けられていることを特徴とする。
【発明の効果】
【０００７】
本発明では、次に列挙する効果が得られる。
（１）造花で装飾した花瓶型の箸入れは、食卓上の美観を向上させる。
（２）外見上が箸入れと認識できない形状のため、装飾品的存在で設置場所を選ばず、周辺にも違和感を与えない。
（３）必要に応じた箸の出し入れで、余分な箸の存在が目立たなく、食卓上の整理整頓になる。
【図面の簡単な説明】
【０００８】
【図１】本発明の外観斜視図
【図２】本発明の側面断面図
【図３】本発明の部分的構成図
【発明を実施するための形態】
【０００９】
以下、本発明の実施の形態を図に基づいて説明する。
【実施例】
【００１０】
図１は本発明の外観斜視図である。花瓶の形状をした外筒（２）には、回転用取手（６）を取り付け、この回転用取手（６）で外筒（２）を右回転するように軽く力を加えると外筒（２）が右回転し、造花（９）に覆われた蓋１（７）と蓋２（８）が左右に開くように作用する。
この蓋１（７）と蓋２（８）が左右に開くことで、その周辺の造花（９）も左右に押し退けられる。
【００１１】
図２は本発明の側面断面図で、花瓶型箸入れには、外筒（２）、固定筒（３）、内筒（４）並びに箸入れ筒（５）の４層の筒になっている。
まず、外筒（２）と内筒（４）は固定筒（３）に設けた誘導溝（１３）の溝を通して連結棒（１２）で接続する。
外筒（２）と回転用取手（６）は一体のもので、回転用取手（６）で外筒（２）が右回転するように軽く移動させると、外筒（２）は右回転し、連結棒（１２）で接続固定されている内筒（３）も同様に回転する。
固定筒（３）は回転せず、外筒（２）と内筒（４）を接続した連結棒（１２）の回転動作は、固定筒（３）の誘導溝（１３）に導かれ回転しながら上昇する。
内筒（４）の底面に据置かれた状態の、箸入れ筒（５）も同様に回転しながら上昇する。
次に、箸入れ筒（５）の上面を覆うように蓋１（７）蓋２（８）を設ける。蓋１（７）蓋２（８）は内筒（４）が回転しながら上昇すると、内筒（４）の上面が蓋１（７）蓋２（８）の内面を押し上げる作用をする。
内筒（４）によって蓋が押し上げられると、蓋１（７）は支持軸（１０）で、蓋２（８）は支持軸（１１）を支点にして水平状態から垂直状態になる。
結果、箸入れ筒（５）の上部が開放され、箸入れ筒（５）も上昇して、箸（１）の出し入れが容易になる。なお、蓋１（７）蓋２（８）が水平から垂直になることで、上部の造花（９）も左右に押し退かれる。
箸入れ筒（５）の上部が、開放している状態で回転用取手（６）を支えているとその状態は維持する。この状態で箸入れ筒（５）そのものの出し入れもできる。
箸（１）の出し入れが完了すれば、回転用取手（６）から手を離すと、外筒（２）、内筒（４）、箸入れ筒（５）の筒全体の自重で誘導溝（１３）に沿い回転しながら下降する。
また、内筒（４）の上面で押し上げられていた蓋１（７）蓋２（８）も、内筒（４）の下降で垂直から水平状態に戻り、押し退かれていた造花（９）も元の状態に復帰する。
【００１２】
図３は本発明の部分的構成図である。外筒（２）、固定筒（３）並びに内筒（４）の関係を詳細に表したもので、外筒（２）と内筒（４）は固定筒（３）に設けた誘導溝（１３）を通した連結棒（１２）で接続固定する。
この状態で外筒（２）が右回転の動作をすると、連結棒（１２）は固定筒（３）の誘導溝（１３）に導かれ回転しながら上昇していく。したがって、連結棒（１２）で接続固定されている、内筒（４）も同様に回転しながら上昇する。
【産業上の利用可能性】
【００１３】
一般家庭のみならず、飲食業等の営業店でも、食卓上の箸入れとして美観向上に役立てることができる。
【００１４】
箸以外のホーク、スプーンなどの食事用具も収容することができる。
【符号の説明】
【００１５】
１  箸
２  外筒
３  固定筒
４  内筒
５  箸入れ筒
６  回転用取手
７  蓋１
８  蓋２
９  造花
10  支持軸１
11  支持軸２
12  連結棒
13  誘導溝
【図１】
2015097694.tif 000003
【図２】
2015097694.tif 000004
【図３】
2015097694.tif 000005
(57)【要約】      （修正有）【課題】用途に応じて小物入れポケットを自由に配置して小物を収納すること、また、机、引出し、本棚、鞄などへ出し入れや、持ち運びも可能な仕切りボードを提供する。【解決手段】ピンホール２を等間隔に有し、机、引出し、本棚、鞄などに合った大きさのボード１に、用途に応じて、必要なポケット３を自由に配置しピンで固定して小物を収納できるようにした仕切りボードであって、ボードごとの出し入れができるため、持ち運びも容易であって、中仕切りとしても利用可能である。【選択図】図１
2015097685.tif 000002
【特許請求の範囲】
【請求項１】
穴の奥が広くなっているピンホールを等間隔に有するボードに、オスピンを挿し込むことにより先端が広がるメスピンでポケットを固定することができ、壁掛けおよび、引出し、本棚、鞄などの中仕切りとして利用可能な小物収納ポケットが自由に配置できる仕切りボード。
【発明の詳細な説明】
【技術分野】
【０００１】
本発明は、ボードに複数のポケットを自由に配置して小物を収納し、そのまま持ち運びも可能な引出し、本棚、鞄等の仕切りボードに関するものである。
【背景技術】
【０００２】
従来、机の上、引出しの中、鞄の中の小物の収納は、整理していても、仕切りや小物入れがなければ、出し入れにより煩雑になり、煩雑になった状態で小物を探すのは一苦労であった。
特に引出しの中、鞄の中で奥にある小物は見つけにくく、手探りで探すか中身を全部出して探す必要があり面倒であった。
また、市販の鞄等の収納ポケットの種類および数は、万人が満足するものではなく、家と外出先で使用するものは、ひとつひとつ鞄に入れて持ち運び、帰宅時にまたひとつひとつ鞄から取り出す必要があり手間であった。
【先行技術文献】
【特許文献】
【０００３】
【特許文献１】特開２００９−１３１３８５号公報
【特許文献２】特開２００７−３０１４００号公報
【特許文献３】特開２００６−０６１６４８号公報
【特許文献４】特開２０００−２３６９２９号公報
【発明の概要】
【発明が解決しようとする課題】
【０００４】
従来より以下のような問題点があった。
（イ）整理していても、出し入れにより煩雑になり、小物を探すのが一苦労であった。
（ロ）引出しの中、鞄の中で奥にある小物は見つけにくく、手探りで探すか中身を全部出して探す必要があった。
（ハ）市販の鞄等の収納ポケットの種類および数は、万人が満足するものではなかった。
（ニ）家と外出先で使用するものは、ひとつひとつ鞄に入れて持ち運び、帰宅時にまたひとつひとつ鞄から取り出す必要があり手間であった。
【課題を解決するための手段】
【０００５】
机、引出し、鞄などに合った大きさのボードに必要なポケットを自由に配置して小物を収納できるようにし、ボードごとの出し入れも、持ち運びも可能にする。
ポケットは両端と下部に固定する穴を複数儲け、ピンホールを有するボードにピンを挿し込んで固定する。ピンは、メスピンとオスピンで構成され、メスピンにオスピンを挿し込むことによりメスピンの先端が広がりボードに固定される。ボードのピンホールは奥が広くなっておりピンの取り外しを楽にする。
【発明の効果】
【０００６】
用途に応じて、机、引出し、本棚、鞄などに合った大きさのボードに必要なポケットを配置し、ボードごと出し入れを可能にすることにより、収納した小物が出し入れにより煩雑になることを防ぎ、整理されたままの状態を保つことを可能とする。
また、ボードごとの出し入れが可能な為、家と外出先で使用するものは、ひとつのボードに収めておくことにより、そのまま鞄に出し入れができ、手間が省ける。
ポケットは簡単に取り付け、取り外しが可能であり、用途に合わせて自由に配置が可能である。
【図面の簡単な説明】
【０００７】
【図１】本発明のボード、ポケット、ピンの分解斜視図
【図２】本発明のポケット配置時の斜視図
【図３】本発明のボードの正面図
【図４】本発明のボードの断面図、（ａ）ピンホール部分の拡大図
【図５】本発明のオスピンの拡大図、（ａ）上面図、（ｂ）側面図、（Ｃ）底面図
【図６】本発明のメスピンの拡大図、（ａ）上面図、（ｂ）側面図、（Ｃ）底面図
【図７】本発明のポケットの正面図
【発明を実施するための形態】
【０００８】
以下、本発明の実施の形態について説明する。
（イ）ボード（１）に配置するポケット（３）の種類と位置を決め、必要数のポケット（３）、メスピン（４）、オスピン（５）を用意する。
（ロ）ボード（１）のピンホール（２）にポケット（３）のポケット固定穴（６）を合わせる。
（ハ）メスピン（４）を（ロ）で合わせた（４）ポケット固定穴（６）を通し、ピンホール（２）に挿し込む。
（ニ）（ハ）で挿し込んだメスピン（４）の穴にオスピン（５）を挿し込む。
（ホ）ポケット（３）の全ポケット固定穴（６）とピンホール（２）を（ロ）〜（ニ）の手順で全て固定する。
（ヘ）（イ）で用意した全てのポケット（３）を（ロ）〜（ホ）の手順で固定する。
本発明は、以上の手順で構成する。
本発明を使用する際は、固定したポケット（３）にそれぞれに合った小物を収納し、ボード（１）ごと、机、引出し、本棚、鞄などに収納し、ボード（１）または収納したポケット（３）の小物単位で出し入れする。ポケット（３）は柔らかい素材であるため、収納できるサイズであれば形は問わない。
ピンホール（２）は、穴の奥が広くなっており、メスピン（４）の穴にオスピン（５）を挿し込むことによりメスピン（４）の先端が広がる構造で、簡単に固定および取り外しがすることができ、ポケット（３）は自由に配置できるので、個人の用途に応じて自由に構成できる。また、ポケットは自分で作ることも可能。
ボード（１）ごと出し入れが可能な為、移動させるのも楽である。
鞄に入れて持ち運ぶ際も、ボード（１）が中仕切りとなり、ポケット（３）が固定されている為、整理された状態で出し入れが可能で、煩雑な鞄や引出しの中の小物を探す手間がなくなり便利である。また、壁に掛けて使用することも可能。
【符号の説明】
【０００９】
１    ボード
２    ピンホール
３    ポケット
４    メスピン
５    オスピン
６    ポケット固定穴
【図１】
2015097685.tif 000003
【図２】
2015097685.tif 000004
【図３】
2015097685.tif 000005
【図４】
2015097685.tif 000006
【図５】
2015097685.tif 000007
【図６】
2015097685.tif 000008
【図７】
2015097685.tif 000009
(57)【要約】【課題】往来の方法では接続したいもの同士の位置がなかなか定まらずに着脱が困難であったり、力を使わないと接続できないために接続が面倒であったり、または外れてほしくないときに簡単に外れてしまうという問題があった。【解決手段】本発明は、金属やプラスチックの持つ弾力性を利用することにより、接続しにくいものや、接続が面倒な鎖やワイヤー等の接続を円の内側へ湾曲した切れ目部分を押し付けるだけで容易にし、また簡単に外れてほしくないときに外れてしまうという問題を解決することが出来るものである。【選択図】図1
2015097580.tif 000002
【特許請求の範囲】
【請求項１】
リング状の金属やプラスチックの一箇所を切り離し、その切り離した部分を内側へ湾曲させ、且つ、接触させることで、接続する相手が切れ目の無い棒やワイヤー等であっても簡単に引っ掛けて繋ぐことが出来、さらに、外すときも内側へ湾曲させた部分を接続した相手側へ押すことで、簡単に外すことが出来ることを特徴とする接続留め具。
【請求項２】
棒状の金属やプラスチックを曲げ加工し、その端同士を内側へ湾曲させ、且つ、接触させることで、接続する相手が切れ目の無い棒やワイヤー等であっても簡単に引っ掛けて繋ぐことが出来、さらに、外すときも内側へ湾曲させた部分を接続した相手側へ押すことで、簡単に外すことが出来ることを特徴とする接続留め具。
【発明の詳細な説明】
【技術分野】
【０００１】
本発明は金属やプラスチックの持つ弾力性を利用することにより、接続しにくかったり、接続が面倒だったりする鎖やワイヤー等の接続や取り外しを容易にする接続用留め具に関するものである。
【背景技術】
【０００２】
往来の留め具を利用した接続部品はスプリング等を使用した構造のため着脱が困難であり、またＳ字フックのように簡単に引っ掛けることは出来るが引っ掛けたものを外すときにフックごと外れることがあるという問題があった。
【発明の開示】
【発明が解決しようとする課題】
【０００３】
本発明は、このような往来の接続部品が有していた問題を解決しようというものであり、鎖やワイヤー等を簡単に接続出来、且つ、簡単にはずすことが出来るように考えたものである。
【課題を解決するための手段】
【０００４】
上記の課題を解決するために、請求項1や請求項2の本発明の接続留め具は、図1のように金属やプラスチックの持つ弾力性を利用し、円の内側に湾曲した切れ目を持つことを特徴とする。
【０００５】
さらに接続するもの同士のねじれが問題になる場合は、接続用留め具の切れ目がある側とは反対側にねじれが解消するために必要な角度を付けたり、外側にねじれを解消するために必要な角度にリング状のものを取り付けることで解消できることを特徴とする。
【発明の効果】
【０００６】
上述したように本発明では、脱着が困難であったり、着脱が面倒であったり、または外れてほしくない場合に外れてしまうという問題を解決する効果を発揮するものである。
【発明を実施するための最良の形態】
【０００７】
以下、本発明の実施形態を図1〜図3に基づいて説明する。
【０００８】
図1〜図3は本発明の実施形態に係り、図1〜図3は請求項1、請求項2に関する基本図である。
【０００９】
図1はリング状の金属やプラスチックの一箇所を切り離し、その切り離した部分を内側へ湾曲させた簡単脱着接続用留め具の基本形を正面から見た図である。図1に示すように本簡単脱着接続用留め具は円の内側に湾曲した切れ目を持ち、その特徴的な湾曲部分を接続したい相手へ押し付けるだけで簡単に接続することが出来る。
その際、接続する相手の大きさによって湾曲させる角度や深さを適切に設計することが肝要である。
【００１０】
図2は接続したい相手とすでに接続している状態の簡単脱着接続用留め具の基本形を正面から見た図である。図2に示すように本簡単脱着接続用留め具を外す場合は、接続した相手に対して湾曲した切れ目部分を押し付けることで簡単に外すことが出来る。
【００１１】
図3は簡単脱着接続用留め具の使用時において、予定外のときにさらに安易に外れにくくするために、内側に湾曲させた切れ目をクロスさせた基本形を正面から見た図である。
この場合、何らかのきっかけで切れ目部分に接続していた相手が引っ掛かって、外れる方向に力が加わっても留め具そのものが破壊されるような力でなければ、締まる方向への力になるので、安易に外れることは無い。
【００１２】
図1から図3で示したように、各基本図の波線の下の形は、例えばハートや星型のように
どのような形でもよく、要は切れ目部分が湾曲した内側の最下部にあることが肝要である。
【特許文献１】登録実用新案  3117022号
【図面の簡単な説明】
【００１３】
【図１】本発明の実施実態を示す正面図1
【図２】本発明の実施実態を示す正面図2
【図３】本発明の実施実態を示す正面図3
【図１】
2015097580.tif 000003
【図２】
2015097580.tif 000004
【図３】
2015097580.tif 000005
(57)【要約】【課題】正しい捕球体勢を体感して捕球体勢の矯正を容易にするとともに、正しい捕球体勢の指導を補助する練習具を提供する。【解決手段】グラブを持つ左右いずれかの腕の上腕部に巻き付けて固定される上腕部ベルト部と、前記腕の前腕部に巻き付けて固定される前腕部ベルト部と、前記両ベルト部と前記腕の肘の処で連結され、ユニホームのズボンのベルトに接続固定される接続ベルト部を備え、前記両および接続ベルト部にて前記肘を腰に近づけた状態に保持する事を特徴とする捕球体勢矯正練習具。【選択図】図１
2015097563.tif 000002
【特許請求の範囲】
【請求項１】
グラブを持つ左右いずれかの腕の上腕部と前腕部にそれぞれ別々に巻き付けて固定される上腕部ベルト部と、前記腕の前腕部に巻き付けて固定される前腕部ベルト部と前記両ベルト部と前記腕の肘の処で連結され、ユニホームのズボンのベルトに接続固定される接続ベルト部を備え、前記両及び接続ベルト部にて前記肘を腰に近づけた状態に保持する事を特徴とする捕球体勢矯正具。
【発明の詳細な説明】
【技術分野】
【０００１】
本発明は、捕球体勢矯正練習具に関し、野球及びソフトボールの捕球体勢、特にゴロの捕球体勢の腰高の選手の腰を低く矯正し、その捕球体勢を体感して習得、向上を図るものである。
【背景技術】
【０００２】
本発明は、全ての野球又はソフトボール選手の捕球体勢の矯正に役立つ練習具を提供するものである。これまでこの種の練習具としては、例えば特許文献１に示すものが有るが捕球練習用の補助具は有ったが、捕球体勢矯正用の補助具は実用化されていなかった。たとえば、ゴムチューブを腕の動を制限する為に巻き付けたり、脇にタオルを挟み込んで腕の動を制限して捕球を矯正していた然し、捕球体勢を矯正する練習具は提供されていなかった。
【先行技術文献】
【特許文献】
【０００３】
【特許文献１】特開２０１０-２８４４６５号公報
【発明の概要】
【発明が解決しようとする課題】
【０００４】
本発明は、前記の適当な捕球体勢矯正用の練習具が無いと云う問題を解決し、合せて野球及びソフトボールの捕球は、ゴロも正しく基本体勢をマスターする事が上達の大切な基本であることに基づいて最良な捕球体勢矯正用の練習具を提供するものである。
【課題を解決するための手段】
【０００５】
本発明は、選手のグラブを持つ腕の上腕部と前腕部にそれぞれ別々に巻き付ける上腕部用ベルト部と前腕部用ベルト部を接続し、接続部より伸び出た接続ベルトがユニホームのベルトに固定された捕球体勢矯正の為の練習具である。本発明はグラブを持つ左右いずれかの腕の上腕部に巻き付けて固定される上腕部ベルト部と、前記腕の前腕部に巻き付けて固定される前腕部ベルト部と、前記両ベルト部と前記腕の肘の処で連結され、ユニホームのズボンのベルトに接続固定される接続ベルト部を備え、前記両及び接続ベルト部に、前記肘を腰に近づけた状態に保持する事を特徴とする捕球体勢矯正具を提供する。
【発明の効果】
【０００６】
本発明は、この捕球体勢矯正練習具を継続使用する事で、正しい捕球体勢を選手自体が実感、体得し指導者がその場に居なくても正しい捕球体勢がマスターすなわち習得できるものである。使用者の体格に応じて固定ベルトの長さも調節できるため、大人も、子供も身体の大、小によらず誰でもが容易に使用できるものである。
【図面の簡単な説明】
【０００７】
【図１】本発明の実施形態を示す捕球体勢矯正具の全体図
【図２】本発明の図１の矯正具の腕ベルト部の表面図
【図３】本発明の図１の矯正具の腕ベルト部の裏面図
【図４】本発明の実施形態を示す捕球体勢矯正具を腕に取り付けた図
【図５】本発明の捕球体勢矯正具を付けず腰高で構えた図
【図６】本発明の捕球体勢矯正具を付けて捕球体勢をした図
【発明を実施するための形態】
【０００８】
本発明の実施形態にかかる捕球体勢矯正具を図１から図６に基づいて説明をする。上腕部ベルト部１、前腕部ベルト部２は、それぞれ使用者(選手)グラブを持つ腕の上腕部と前腕部に巻き付け固定されるものであり、例えばリストバンドに有るような布製ベルトからなり、固定部にはマジックバンド３，５が固定されている、上腕部と前腕部１，２を固定用ベルト７で繋ぎこの此処より伸び出た接続ベルト部８で腰ベルト１１に固定する、(ユニホームのベルト)に固定する。なお、ベルト部は、ユニホームのベルトとマジックテープ９，１０(図３に示す)にて取り外しも可能である。
【０００９】
図１の矯正具の取り付け、使用状態を説明する、図４に示すように、腕の前腕部１２にベルト部２を巻き付け、上腕部１３にベルト部１を巻き付け、ベルト部１に取り付けたマジックテープ５と６、ベルト部２に取り付けたマジックテープ３と４にて腕に固定する。図６は、矯正具をユニホームの腰ベルト１１(ユニホームのベルト)に取り付けた、ゴロの捕球体勢を示し、矯正具にて腕の肘を腰に近づけた状態に保持できている状態を示している。図５のような腰高の姿勢を矯正する事が出来る。
【符号の説明】
【００１０】
１  上腕部に巻くベルト部
２  前腕部に巻くベルト部
３，４，５，６  腕ベルトのマジックテープ部
７  上腕部と前腕部を繋ぐベルト部
８  腕部ベルトをユニホームベルトに接続するベルト
９，１０  接続ベルト８に取り付けられたマジックテープ部
１１  ユニホームの腰ベルト
１２  前腕部
１３  上腕部
【図１】
2015097563.tif 000003
【図２】
2015097563.tif 000004
【図３】
2015097563.tif 000005
【図４】
2015097563.tif 000006
【図５】
2015097563.tif 000007
【図６】
2015097563.tif 000008